(57)【要約】【課題】符号化装置を始めとして局内装置のリソースを反映して放送事故の発生を防いでコンテンツの収録を行う収録管理システム及び収録管理方法を提供する。【解決手段】ＡＭＳ１が、データサーバ８から供給される番組時刻表をもとに符号化装置３１ａの使用状況を調べることにより収録イベントテーブルを作成し、ＶＴＲ４、回線信号、補助記録再生装置７からのオリジナル素材信号の送出源、収録をするビデオサーバ２及び、符号化装置をスイッチャ装置Ｓで選択するとともに、オリジナル素材を記憶してるテープ６の自動倉庫設備であるカート設備５の動作順序を制御して、オンエア時刻に遅れることなく放送用のコンテンツである収録素材をビデオサーバ２Ａで編集収録する統合的な収録管理を行う。【選択図】図１
2009171359.tif 000002
【特許請求の範囲】
【請求項１】
データサーバから番組時刻表を取得して放送番組を管理する放送局で、ビデオサーバが記憶媒体に保存されたコンテンツの素材を編集してオンエア用の収録素材として収録する収録管理システムにおいて、
前記コンテンツ、前記記憶媒体、および前記収録に係わる装置をリストしたデータベースにして記憶すると共に前記データサーバからオンエアに使用する装置個々の動作スケジュールが示された番組送出情報を入力し、前記データベースと前記入力した番組送出情報を参照して前記オンエアに使用しない前記装置を検索して前記収録に用いる装置の候補を選定し、放送番組の開始時間に遅れることなく各前記候補を用いて時系列に前記収録を行うスケジュールが設定された収録イベントテーブルを生成して前記各装置の間で行う前記収録に係わる動作処理の制御信号を送信する収録制御手段と、
各前記装置の間を接続し、前記送信される制御信号を伝送するネットワークと、
前記収録制御手段からの制御に従い前記候補とされ、入力される前記コンテンツの素材信号を編集し、前記収録素材として記憶するビデオサーバと、
複数の前記コンテンツを記憶した記憶媒体と、
前記収録制御手段からの制御に従い前記候補とされ、前記記憶媒体に記憶された前記コンテンツの素材信号を再生出力する再生手段と、
前記収録制御手段からの制御に従い、前記複数の記憶媒体を保管し、前記収録制御手段からの制御に従って選択された前記記憶手段を前記候補とされた再生手段との間で集配、または装着を行う自動倉庫手段と、
前記収録制御手段からの制御に従って、前記ビデオサーバへ所要の前記コンテンツの素材信号が入力される切り換え接続を、前記候補の間で行うスイッチャ手段とを備える
ことを特徴とする収録管理システム。
【請求項２】
前記収録管理システムには、更に符号化装置が備えられ、
前記記憶媒体がビデオテープで、前記再生手段が前記ビデオテープが装着されるＶＴＲであって、
前記収録に用いる候補とされた前記ＶＴＲと前記ビデオサーバとの間に前記スイッチャ手段を介して前記符号化装置が接続されていることを特徴とする請求項１記載の収録管理システム。
【請求項３】
前記収録管理システムには、更に前記自動倉庫手段で管理される記憶媒体とは別個に取り扱われる第２の記憶媒体とそのデータを再生出力する第２の再生手段と、前記放送局に入力される回線信号の配線とが備えられ、
前記第２の再生手段と、前記回線信号の配線とは前記スイッチャ手段に接続され、
前記収録制御手段は、
少なくとも１つの前記再生手段と、前記第２の再生手段と、前記回線信号の配線とのうちから前記収録をするビデオサーバに入力される素材信号を選択する制御することを特徴とする請求項２記載の収録管理システム。
【請求項４】
データサーバから番組時刻表を取得して放送番組を管理する放送局で、ビデオサーバが記憶媒体に保存されたコンテンツの素材信号を編集してオンエア用の素材となる収録素材を収録する収録管理システムの収録管理方法において、
前記収録管理システムは、
収録制御手段と、複数のビデオサーバと、複数の記憶媒体と、複数の再生手段と、自動倉庫手段と、スイッチャ手段の各装置、および制御信号を伝送するネットワークとを備え、
前記収録制御手段は、
前記コンテンツ、前記記憶媒体、および前記収録に係わる装置をリストしたデータベースにして記憶すると共に前記データサーバからオンエアに使用する装置個々の動作スケジュールが示された番組送出情報を入力し、前記データベースと前記入力した番組送出情報を参照して前記オンエアに使用しない前記装置を検索して前記収録に係わる装置の候補を選定し、放送番組の開始時間に遅れることなく各前記候補を用いて時系列に前記収録を行うスケジュールが設定された収録イベントテーブルを生成し、前記候補とされたビデオサーバへ所要の前記コンテンツの素材信号が入力される切り換え接続をする制御信号を前記スイッチャ手段および各前記装置へ前記ネットワークを介して送信し、
前記スイッチャ手段は、前記ネットワークを介して前記収録制御手段から受信する制御信号に従って、前記候補となったビデオサーバへ所要の前記コンテンツの素材信号が入力される切り換え接続を前記各装置の各前記候補の間で行い、
前記ネットワークを介して前記制御信号を受信する自動倉庫手段は、保管している前記複数の記憶媒体から、前記制御信号の制御信号で指定された記憶媒体を所定の保管場所と前記候補とされた再生手段との間で集配、または装着を行い、
前記ネットワークを介して受信する制御信号に従い前記候補とされた前記再生手段は、前記自動倉庫手段により配られるか、又は装着された前記記憶媒体に記憶された前記コンテンツの素材信号を前記スイッチャを介して前記候補とされたビデオサーバへ向けて再生出力し、
前記ネットワークを介して受信する制御信号に従い前記候補とされたビデオサーバは、前記スイッチャ手段を介して入力される前記コンテンツの素材信号を編集して前記収録素材として記憶する
ことを特徴とする収録管理システムの収録管理方法。
【請求項５】
データサーバから番組時刻表を取得して放送番組を管理する放送局で、ビデオサーバが記憶媒体に保存されたコンテンツの素材信号を編集してオンエア用の素材となる収録素材を収録する収録管理システムの収録管理方法において、
前記収録管理システムは、
符号化装置と、収録制御手段と、複数のビデオサーバと、複数の記憶媒体と、複数の再生手段と、自動倉庫手段と、スイッチャ手段の各装置、および制御信号を伝送するネットワークとを備え、
前記記憶媒体をビデオテープとするとともに前記再生手段を前記ビデオテープが装着されるＶＴＲとし、
前記収録制御手段は、
前記コンテンツ、前記記憶媒体、および前記収録に係わる装置をリストしたデータベースにして記憶すると共に前記データサーバからオンエアに使用する装置個々の動作スケジュールが示された番組送出情報を入力し、前記データベースと前記入力した番組送出情報を参照して前記オンエアに使用しない前記装置を検索して前記収録に係わる装置の候補を選定し、放送番組の開始時間に遅れることなく各前記候補を用いて時系列に前記収録を行うスケジュールが設定された収録イベントテーブルを生成し、前記候補とされたビデオサーバへ所要の前記コンテンツの素材信号が入力される切り換え接続をする制御信号を前記スイッチャ手段および各前記装置へ前記ネットワークを介して送信し、
前記スイッチャ手段は、前記ネットワークを介して前記収録制御手段から受信する制御信号に従って、前記候補となったビデオサーバへ所要の前記コンテンツの素材信号が入力される切り換え接続を前記各装置の各前記候補の間で行い、
前記ネットワークを介して前記制御信号を受信する自動倉庫手段は、保管している前記複数の記憶媒体から、前記制御信号の制御信号で指定された記憶媒体を所定の保管場所と前記候補とされた再生手段との間で集配、または装着を行い、
前記ネットワークを介して受信する制御信号に従い前記候補とされた前記再生手段は、前記自動倉庫手段により配られるか、又は装着された前記記憶媒体に記憶された前記コンテンツの素材信号を前記スイッチャを介して前記候補とされたビデオサーバへ向けて再生出力し、
前記符号化装置は、
前記収録に用いる候補とされた前記ＶＴＲと前記ビデオサーバとの間に前記スイッチャ手段を介して接続され
前記ネットワークを介して受信する制御信号に従い前記候補とされたビデオサーバは、
前記スイッチャ手段を介して入力される前記コンテンツの素材信号を編集して前記収録素材として記憶する
ことを特徴とする収録管理システムの収録管理方法。
【請求項６】
データサーバから番組時刻表を取得して放送番組を管理する放送局で、ビデオサーバが記憶媒体に保存されたコンテンツの素材信号を編集してオンエア用の素材となる収録素材を収録する収録管理システムの収録管理方法において、
前記収録管理システムは、
符号化装置と、収録制御手段と、複数のビデオサーバと、複数の記憶媒体と、複数の再生手段と、自動倉庫手段と、スイッチャ手段の各装置、および制御信号を伝送するネットワークと、第２の記憶媒体とそのデータを再生出力する第２の再生手段と、前記放送局に入力される回線信号の配線とを備え、
前記記憶媒体をビデオテープとするとともに前記再生手段を前記ビデオテープが装着されるＶＴＲとし、
前記収録制御手段は、
前記コンテンツ、前記記憶媒体、および前記収録に係わる装置をリストしたデータベースにして記憶すると共に前記データサーバからオンエアに使用する装置個々の動作スケジュールが示された番組送出情報を入力し、前記データベースと前記入力した番組送出情報を参照して前記オンエアに使用しない前記装置を検索して前記収録に係わる装置の候補を選定し、放送番組の開始時間に遅れることなく各前記候補を用いて時系列に前記収録を行うスケジュールが設定された収録イベントテーブルを生成し、前記候補とされたビデオサーバへ所要の前記コンテンツの素材信号が入力される切り換え接続をする制御信号を前記スイッチャ手段および各前記装置へ前記ネットワークを介して送信し、
前記スイッチャ手段は、前記ネットワークを介して前記収録制御手段から受信する制御信号に従って、前記候補となったビデオサーバへ所要の前記コンテンツの素材信号が入力される切り換え接続を前記各装置の各前記候補の間で行い、
前記ネットワークを介して前記制御信号を受信する自動倉庫手段は、保管している前記複数の記憶媒体から、前記制御信号の制御信号で指定された記憶媒体を所定の保管場所と前記候補とされた再生手段との間で集配、または装着を行い、
前記ネットワークを介して受信する制御信号に従い前記候補とされた前記再生手段は、前記自動倉庫手段により配られるか、又は装着された前記記憶媒体に記憶された前記コンテンツの素材信号を前記スイッチャを介して前記候補とされたビデオサーバへ向けて再生出力し、
前記符号化装置が、前記収録に用いる候補とされた前記ＶＴＲと前記ビデオサーバとの間に前記スイッチャ手段を介して接続され
前記収録制御手段は、
前記第２の記憶媒体と前記第２の再生手段とを前記自動倉庫手段で管理される記憶媒体とは別の系統として取り扱い、前記第２の再生手段と前記回線信号の配線とは前記スイッチャ手段に接続され、
少なくとも１つの前記再生手段と、前記第２の再生手段と、前記回線信号の配線とのうちから前記収録をするビデオサーバに入力される素材信号を選択し、
前記ネットワークを介して受信する制御信号に従い前記収録を行う候補とされたビデオサーバは、前記スイッチャ手段を介して入力される前記コンテンツの素材信号を編集して前記収録素材として記憶する
ことを特徴とする収録管理システムの収録管理方法。
【発明の詳細な説明】
【技術分野】
【０００１】
本発明は、放送局における放送素材の収録を管理制御する収録管理システム、および収録管理方法に関する。
【背景技術】
【０００２】
商用放送局の放送番組のコンテンツは、ニュース等のリアルタイム素材と、予めＶＴＲやビデオサーバの様な収録装置に収録された収録素材との素材（コンテンツ）のうち、時刻表に従って選択されるコンテンツが送出（放送）される。
【０００３】
収録素材は、大量に保管された例えば、テープの様な記憶メディアに保存されたオリジナル素材を取り出して一度ＶＴＲで再生し、それを更に収録用のＶＴＲやビデオサーバで所定の放送番組用の収録素材に編集して、ＶＴＲのテープ、又はビデオサーバのメモリ等の記憶メディアに収録（保存）する。そして、所定の番組放送時刻に、当該収録素材が、ＶＴＲ又は、ビデオサーバ等で記憶メディアから読み出されて送出される。
【０００４】
オリジナル素材および、収録素材として記憶保存されるテープの様な記憶メディアは非常に大量であるため、膨大なストックの中から必要とするテープの速やかな取り出し等の管理をする自動倉庫システム、または、カートシステムと呼ばれるような記憶メディア管理手段が利用されてきた（例えば、特許文献１。）。
【０００５】
これらの記憶メディア管理手段は、短時間でテープの収納、取り出しを済ますのに効果がある。しかし、最近デジタル放送が導入されると収録にあたってはデジタル符号化されたビデオ信号を記憶するビデオサーバが用いられる。更に収録されるオリジナル素材は、ＶＴＲ出力の様に収録処理の時間がシフト出来るものに加えて、系列回線からのリアルタイム放送信号や、他のビデオサーバから放送される収録素材をリアルタイム、または再読み出しをして符号化装置を介して収録することが必要になっている。その結果、リソース（台数、運用可能時間）が限られた符号化装置を介してからビデオサーバで収録しなければならない。
【０００６】
その場合でも放送時刻前に、ＶＴＲ出力の様な記憶メディアに収録されたオリジナル素材はじめ各種のオリジンナル素材をビデオサーバに編集して収録する必要がある。しかし、符号化装置のリソースは限られているので従来の自動倉庫の様なテープを対象とする物理的な在庫管理だけでは、自動倉庫にあるテープ以外のオリジナル素材が優先、割り込みされて放送や収録されることもある。その場合、テープに収録されたオリジナル素材の収録が後回しになり、オンエア（放送）時刻までに放送用の収録素材の作成が終わらない放送事故が発生する問題が有った。また、符号化装置以外にも収録に係わる局内装置ではリソースが限られたものがあり、局内装置のリソース管理を横断的に行う必要があった。
【特許文献１】特許第２６９３２７９号  （第５頁、第１図）
【発明の開示】
【発明が解決しようとする課題】
【０００７】
デジタル放送の導入に伴い、従来の自動倉庫の様な記憶メディアに保存したオリジナル素材を利用して放送番組を収録するものに対する物理的な在庫管理だけでは、符号化装置のリソースを反映した収録管理ができず、放送時刻までに放送用コンテンツの収録が終わらない放送事故が発生する問題が有った。
【０００８】
本発明は、上記問題を解決するためになされたもので、符号化装置を始めとして局内装置のリソースを反映して放送事故の発生を防いでコンテンツの収録を行う収録管理システム及び収録管理方法を提供することを目的とする。
【課題を解決するための手段】
【０００９】
上記目的を達成するために、本発明の収録管理システムは、データサーバから番組時刻表を取得して放送番組を管理する放送局で、ビデオサーバが記憶媒体に保存されたコンテンツの素材を編集してオンエア用の収録素材として収録する収録管理システムにおいて、前記コンテンツ、前記記憶媒体、および前記収録に係わる装置をリストしたデータベースにして記憶すると共に前記マスター設備からオンエアに使用する装置個々の動作スケジュールが示された番組送出情報を入力し、前記データベースと前記入力した番組送出情報を参照して前記オンエアに使用しない前記装置を検索して前記収録に用いる装置の候補を選定し、放送番組の開始時間に遅れることなく各前記候補を用いて時系列に前記収録を行うスケジュールが設定された収録イベントテーブルを生成して前記各装置の間で行う前記収録に係わる動作処理の制御信号を送信する収録制御手段と、各前記装置の間を接続し、前記送信される制御信号を伝送するネットワークと、前記収録制御手段からの制御に従い前記候補とされ、入力される前記コンテンツの素材信号を編集し、前記収録素材として記憶するビデオサーバと、複数の前記コンテンツを記憶した記憶媒体と、前記収録制御手段からの制御に従い前記候補とされ、前記記憶媒体に記憶された前記コンテンツの素材信号を再生出力する再生手段と、前記収録制御手段からの制御に従い、前記複数の記憶媒体を保管し、前記収録制御手段からの制御に従って選択された前記記憶手段を前記候補とされた再生手段との間で集配、または装着を行う自動倉庫手段と、前記収録制御手段からの制御に従って、前記ビデオサーバへ所要の前記コンテンツの素材信号が入力される切り換え接続を、前記候補の間で行うスイッチャ手段とを備えることを特徴とする。
【００１０】
また、本発明の収録管理システムの収録管理方法は、データサーバから番組時刻表を取得して放送番組を管理する放送局で、ビデオサーバが記憶媒体に保存されたコンテンツの素材信号を編集してオンエア用の素材となる収録素材を収録する収録管理システムの収録管理方法において、前記収録管理システムは、収録制御手段と、複数のビデオサーバと、複数の記憶媒体と、複数の再生手段と、自動倉庫手段と、スイッチャ手段の各装置、および制御信号を伝送するネットワークとを備え、前記収録制御手段は、前記コンテンツ、前記記憶媒体、および前記収録に係わる装置をリストしたデータベースにして記憶すると共に前記マスター設備からオンエアに使用する装置個々の動作スケジュールが示された番組送出情報を入力し、前記データベースと前記入力した番組送出情報を参照して前記オンエアに使用しない前記装置を検索して前記収録に係わる装置の候補を選定し、放送番組の開始時間に遅れることなく各前記候補を用いて時系列に前記収録を行うスケジュールが設定された収録イベントテーブルを生成し、前記候補とされたビデオサーバへ所要の前記コンテンツの素材信号が入力される切り換え接続をする制御信号を前記スイッチャ手段および各前記装置へ前記ネットワークを介して送信し、前記スイッチャ手段は、前記ネットワークを介して前記収録制御手段から受信する制御信号に従って、前記候補となったビデオサーバへ所要の前記コンテンツの素材信号が入力される切り換え接続を前記各装置の各前記候補の間で行い、前記ネットワークを介して前記制御信号を受信する自動倉庫手段は、保管している前記複数の記憶媒体から、前記制御信号の制御信号で指定された記憶媒体を所定の保管場所と前記候補とされた再生手段との間で集配、または装着を行い、前記ネットワークを介して受信する制御信号に従い前記候補とされた前記再生手段は、前記自動倉庫手段により配られるか、又は装着された前記記憶媒体に記憶された前記コンテンツの素材信号を前記スイッチャを介して前記候補とされたビデオサーバへ向けて再生出力し、前記ネットワークを介して受信する制御信号に従い前記候補とされたビデオサーバは、前記スイッチャ手段を介して入力される前記コンテンツの素材信号を編集して前記収録素材として記憶することを特徴とする。
【発明の効果】
【００１１】
本発明によれば、符号化装置を始めとして局内装置のリソースを反映して放送事故の発生を防いだコンテンツ収録を行う収録管理システム及び収録管理方法を提供することができる。
【発明を実施するための最良の形態】
【００１２】
以下、図面を参照して本発明の実施例を説明する。
【実施例】
【００１３】
図１は、本発明の実施例に係わる収録管理システムの機能構成を説明するブロック図である。  
図１において収録管理システムは、素材を放送コンテンツとして編集、収録する統合管理を行う収録制御手段であるＡＭＳ（Ａｓｓｅｔ  Ｍａｎａｇｅｍｅｎｔ  Ｓｅｒｖｅｒ）１、素材を収録保存するビデオサーバ２Ａ、２Ｂ…（以下各ビデオサーバに共通な事項について説明する場合、ビデオサーバ２と記述する。）、符号化装置３１ａ、３１ｂ…、復号化装置３２ａ、３２ｂ…、ＶＴＲ４Ａ、４Ｂ…（以下各ＶＴＲに共通な事項について説明する場合、ＶＴＲ４と記述する。）、カート設備５、テープ６（＃１〜＃Ｎ）、補助記録再生装置７、および番組の放送スケジュール情報をＡＭＳ１へ供給するデータサーバ８、収録コンテンツ（素材）の入出力先を選択するスイッチャＳ等を備えている。
【００１４】
上記各構成それぞれの間は、ＡＭＳ１が管理制御するコンテンツ収録に関わる情報が伝送されるネットワーク９で接続され、選択された素材（コンテンツ）のビデオ信号がスイッチャＳを介して各装置の間を経て伝送され、所定のビデオサーバ２で収録素材として記憶保存される。
【００１５】
図１では、スイッチャＳの選択動作の一例として、符号化装置３１へスイッチ接点ｓｃがスイッチ接点ｓ１を介してＶＴＲ４Ａからの素材信号を選択している状態を表しており、この他に選択候補として、それぞれ接点ｓ２および、接点ｓ３を介して回線信号や補助記録再生装置７からも素材信号が入力されることが示されている。
【００１６】
なお、上記各構成は、図示されないが、局内時計Ｔに同期する内部時計を備えている。局内時計Ｔの時刻情報は、ネットワーク９を介して各装置の内部時計へ伝送されるか、又は各内部時計は所定のタイミングで局内時計Ｔとの時刻構成が行われる。データサーバ８は、局内時計Ｔを基準として放送する番組時刻表ＢＪや、番組送出を管理するための番組送出イベントテーブルＢＴをデータサーバ内にデータベースとして記憶し、番組送出を管理している。
【００１７】
ＡＭＳ１は、ネットワーク９との通信手段、ＣＰＵ、メモリ、大容量の記憶手段、およびキーボードやディスプレイを備えた情報処理装置である。ＡＭＳ１は、後述のデータベースに収録に必要な装置等をリスト化して記憶し、放送番組の送出スケジュールと参照することにより、放送に使用されていない装置を検索、抽出して収録作業に用いる装置を選択する。
【００１８】
各ビデオサーバ２、符号化装置３１には、スイッチャＳを介してＶＴＲ４からの再生信号、回線を介した主局からの回線信号、および補助記録再生装置７からのビデオ信号が素材の１つとして入力される。これら素材のビデオ信号は、ＡＭＳ１の制御に従って、スイッチャＳによって選択、切り換えられ、選択された素材のビデオ信号が例えば、符号化装置３１ａへ入力される。
【００１９】
ＡＭＳ１は、各テープ６（＃１〜＃Ｎ）の素材記録内容、ビデオサーバ２が保存（記憶）、又は、これから保存する素材のデータ、データサーバ８からビデオサーバ２へ供給される番組時刻表、番組送出イベントテーブルから、ビデオサーバ２、符号化装置３１ａ、３１ｂ…、復号化装置３２ａ、３２ｂ…、ＶＴＲ４の使用予定等をデータベースにして、図示されない大容量の内部の記憶手段に記憶している。
【００２０】
なお、ここでは、番組時刻表等のスケジュールに関する情報がネットワーク９を介してＡＭＳ１へ入力される場合を例に動作説明を行うが、この入力される情報は、記憶媒体を介して入力されるか、キーボード等の入力手段によって入力されてもよい。
【００２１】
そして、データベースから収録作業を行うイベントデータを時間で管理するリストにした収録イベントテーブルＲＴを生成し、その収録イベントテーブルＲＴと局内時計Ｔとを参照し、放送予定時刻に先駆けて例えば、テープ６（＃Ｍ）をＶＴＲ４Ａに装着して所要のオリジナル素材を再生し、例えば、ビデオサーバ２Ａで編集して収録素材を保存する制御を行う。
【００２２】
テープ６（＃１〜＃Ｎ、以下テープ６に共通な事項を説明する場合、＃１等の番号は省略して説明する。）は、それぞれ例えば、バーコードの様な識別データにより個々（例えば、＃Ｎ）が特定され、カート設備５により選択、またＶＴＲ４へ装着される。
【００２３】
図２は、カート設備５の内部構成を説明する機能ブロック図である。  
図２において、カート設備５は、一般に言われる自動倉庫設備であって、保管されたテープ６（例えば、＃５）を選び出し、ＶＴＲ４に装着、取り出しもしくは、ＶＴＲ４に装着するための所定の場所（例えば、５５５６の様な番地で表示される。）に置くか取り上げる（集配する）。そして、保管物であるテープ６の出納、保管を管理する制御部５１、制御部５１によって指定されたテープ６（＃５）を後述の倉庫部５３から入出しＶＴＲ４との間で搬送するカートである出納部５２、テープ６（＃１〜＃Ｎ）を整列保管する倉庫部５３と、カート、出納部５２が搬送してきた所定のテープ（例えば、＃５）をＶＴＲ４（例えば＃Ａ）へ装着、または集配する装着部５４とを備えている。なお、出納部５２と装着部５４とは一体化されていても良い。
【００２４】
さて、ＡＭＳ１は、前述の様に、放送時刻のデータとそれに対応する収録素材の保管場所のデータをデータベースにして記憶しているので、放送時刻前に収録素材のオリジナル素材がどのテープ６にあるかを読み出して、どの順序で、例えば、ＶＴＲ４Ｂに装着、及びどのテープ６から素材を再生し、例えば、ビデオサーバ２Ａへ録画すれば良いかの収録時刻表を作成し、その収録時刻表を参照して収録作業を行えば良い。
【００２５】
従来は、ＡＭＳ１は用いられず、再生、収録用の例えばＶＴＲ４Ａと４Ｂとを準備し、所要のテープ６（例えば、＃５）を倉庫部５３から取り出して出納部５２と装着部５４を動作して再生用ＶＴＲ４Ｂに挿入し、収録用のＶＴＲ４Ａにテープ６（例えば、＃ｎ）を装着して収録作業を行っている。
【００２６】
そして、このテープ出納管理などについては、カート設備５の制御部５１が行っており、番組放送時刻を参照する収録時刻表は、用いられないか人的作業により適宜収録順序が設定され、それに従った出納管理が行われるだけであった。その結果、収録順序を誤ったり、放送時間迄にコンテンツ収録が間に合わない放送事故が発生することがあった。
【００２７】
また、デジタル放送が導入されて放送されるコンテンツの収録は、アナログのビデオ信号をＶＴＲで記録するよりも符号化装置で符号化されたビデオ信号がビデオサーバによって収録素材として保存されるようになった。しかし、符号化装置は、局内に設置される台数がビデオサーバの設置される台数よりも少なくリソースが限られており、上述の如く、収録する素材源も大別すると３つの種類があるので従来のテープの自動倉庫の出納管理だけでは収録管理をすることが出来ない。
【００２８】
特に、ニュースや報道番組中のようなリアルタイムで素材を放送中にも符号化装置３１ａ。３１ｂ．．．は、収録作業目的以外にも使用されるので、符号化装置の使用時間管理が重要である。
【００２９】
本発明の実施例の収録管理システムでは、テープ管理のみでなく、番組時刻表データを元にした収録時刻をテーブルにした符号化装置等局内設備のリソース管理を行って統合的に収録作業を行っている。
【００３０】
図３は、データサーバ８が供給する番組時刻表ＢＪ、図４は、番組送出イベントテーブルＢＴ、図５は、収録時刻表ＳＪ、および図６は、収録イベントテーブルＲＴの一例である。  
以下図１、図３〜図６を参照して収録管理システムの動作を説明する。
【００３１】
放送局では、番組送出の為にデータサーバ８から図３に示されるような番組時刻表ＢＪが図示しないがマスターシステムと呼ばれる番組送出設備とネットワーク９を介して、又は、記憶媒体等により入力される。
【００３２】
マスターシステムでは、この番組時刻表ＢＪに従って、所定の時刻に所要の素材（コンテンツ）を局内のどの設備を動作させるかによって放送するかを管理するための図４に示されるような番組送出イベントテーブルＢＴが作成される。
【００３３】
図３、図４に示される如く、例に示される放送局ではＯ月１９日の１４：００にはワイドショー番組が送信（放送）される。図４の（ａ）は、当日の最初の放送予定計画に基づいた放送予定で、（ｂ）は変更される時刻表データである。図４では、符号化装置３１ｂが常に使用されているが、符号化装置３１ｂは、図示されていないが、放送（オンエア）された放送を記録しておくためのアーカイブサーバと呼ばれるビデオサーバに接続されている符号化装置である。
【００３４】
収録管理システムでは、ネットワーク９を介して、ＡＭＳ１が番組時刻表ＢＪと番組送出イベントテーブルＢＴとを受信する。そして、ＡＭＳ１が、受信したこれらの時刻に対応してリスト化されたデータを判読し、オンエア、放送に使用されない装置や、予め収録すべき素材を探しだし、放送時刻までに収録が済むように収録予定である収録時刻表ＳＪ、および収録イベントテーブルＲＴを作成する。
【００３５】
例えば、Ｏ月１９日の１４：００から収録作業を行う場合、ＡＭＳ１は、Ｏ月１９日の１４：００からの番組送出イベントテーブルＢＴを参照して、その中から空きの符号化装置３１ａを探しだし、収録作業に使用する。収録時刻表ＳＪの作成は、基本的には、番組送出イベントテーブルから、収録が必要な番組コンテンツが読み出せる。先に述べたように符号化装置３１ｂは、既に使用されているので、収録作業に使用される候補にはならない。
【００３６】
ＡＭＳ１は、それに従って収録順番、および放送時間で必要な収録時間を自動的に判断することが出来るので、時系列に整理した収録時刻表ＳＪ、および収録イベントテーブルＲＴを自動生成することが出来る。
【００３７】
図５は、１４：００からの収録作業を示す収録時刻表ＳＪで、収録される番組名称「番組Ｘ」、収録される元の取材で取得したオリジナルコンテンツ（素材名称）、例えば取材記録Ｂ、そのオリジナルコンテンツが収容されているテープ６（＃Ｍ）とその所在場所を特定出来る情報（Ｔ５５５６）、また収録されたコンテンツに付与する名称、それを再生するＶＴＲ４Ｋ、およびビデオサーバ２Ｄ等の動作が判る様にテーブル状に整理されている。なお、図５（ａ）は、図４の（ａ）、（ｂ）に対応した番組の変更が行われる前のテーブル、（ｂ）は変更が行われた場合のテーブルの例である。
【００３８】
図６は、収録イベントテーブルＲＴの一部の例であって、図５に示された収録時刻表ＳＪを元にした所定の時刻の収録作業（ここでは、１４：００からの収録）に係わる装置や設備の動作を示したテーブルである。  
ＡＭＳ１からは、収録イベントテーブルＲＴに掲載された装置には、ネットワーク９を介して所定の動作を行う制御信号が入力される。なお、この制御信号は、ＡＭＳ１からネットワークを介して所定の装置に直接入力されるか、又は、マスター設備の例えばＳＣＰと呼ばれるような、操作タイミングを制御するような装置に一旦入力されてから当該装置へ更に制御信号が入力される場合がある。
【００３９】
図６でも、カート設備５で管理される、言い換えれば、自動倉庫で管理されるテープ６（＃Ｍ）が、倉庫部５３のＴ５５５６に有ることが示されている。ＡＭＳ１は、更にＶＴＲ４Ｋが再生するのに必要な自動倉庫の出納管理を行うのに必要な管理データＤを収録イベントテーブルＲＴから抽出して再編集する。そして、カート設備５の制御部５１へネットワーク９を介して入力し、制御部５１は、管理データＤに従ってテープ６の取り出し、収納を行い、所定のビデオサーバ２で収録作業を進める。
【００４０】
図６において、１３：５０：００には、１４：００から収録に使用する符号化装置３１ａの動作に先駆けて、テープ６（＃Ｍ）をＶＴＲ４Ｋに装着するため、出納部（カート）５２を動作させ、倉庫部５３の収納位置５５５６から取り出す（ＰＵ）。
【００４１】
次に１３：５３：００に装着部５４が、取り出したテープ（＃Ｍ）をＶＴＲ４Ｋに装着（ＳＥＴ）する。
【００４２】
１３：５５：００にスイッチャＳがＶＴＲ４Ｋの出力を符号化装置（Ｃｏｄｅｃ）３１ａに入力させる。以下、図６には記載していないが符号化装置３１ａの出力がビデオサーバ２Ｄへ入力されることなど、スイッチャＳの接続先選択処理が行われる。そして、ビデオサーバ２Ｄは、待機状態（ＳＴＢＹ）に同じタイミングで待機準備状態になるのと共に、符号化装置３１ａは、符号化処理を開始（ＡＣＴ）する。
【００４３】
次に１４：００：００になると、ＶＴＲ４Ｋは、再生したビデオ信号の出力を開始し、ビデオサーバ２Ｄでは入力されるオリジナル素材信号の記憶など編集を開始する。その後、オペレータ等により適宜ＶＴＲ４Ｋの出力停止など所定の編集作業が行われる。
【００４４】
１４：３０：３０になるとＶＴＲ４Ｋの再生動作を停止（ＳＴＯＰ）し、ビデオサーバ２Ｄは、記憶を停止、符号化装置３１ａも休止（ＲＥＳＴ）モードになる。また取材記録Ｂの収録の為に接続されていた各構成装置の間の接続が切断される。
【００４５】
また、収録イベントテーブルＲＴの作成にあたって、テープ６から収録するタイミング制御が放送時間に間に合う様に、放送時間が早いものから順に処理される自動倉庫制御、即ちカート設備５を制御する管理データＤがＡＭＳ１で収録イベントテーブルＲＴから編集される。そして、管理データＤは、ネットワーク９を介してカート設備５の制御部５１へ送信される。
【００４６】
図５（ｂ）は、収録内容が変更される場合の収録時刻表である。そして、取材記録Ｃが取材記録Ｂに代わって収録される。この場合、テープ６（＃Ｍ）が使用され、その収納場所も変更前の場合と変わらないが、同じテープ６（＃Ｍ）でも、異なったテープ６（＃Ｍ）上の上で記録されて居るので、ＶＴＲ４Ｋから再生出力される素材信号の内容は異なっている。
【００４７】
さて、補助記録再生装置７は、カート設備５との間でテープ６をやりとりする常設のＶＴＲ４以外にスタジオ等でポータブル、または、任意の装置に付帯して設けられる手元の再生装置（ＶＴＲ、ＤＶＤ等の再生装置、または、ビデオサーバ等）である。そして、番組変更が有った場合、又は、ニュース等の生番組や特別番組の編集で利用する番組送出イベントテーブルＢＴに記されていない素材を緊急に送出する場合などに用いる暫定運用設備である。
【００４８】
その場合、オペレータによってＡＭＳ１のキーボードなどの入力手段によって収録イベントテーブルＲＴが書き換えられるか、ネットワーク９を介してＡＭＳ１が受信するデータサーバ８や又はマスターシステムからの番組送出イベントテーブルＢＴの変更データによって収録イベントテーブルＲＴが書き換えられる。
【００４９】
例えば、放送順序に変更がある場合には、収録順序を変えたり、また収録予定のあるテープ６が、ニュース放送中に使用されるような場合が有っても放送事故が発生しないようにＡＭＳ１が収録時刻表、又は、収録イベントテーブルＲＴを修正する。
【００５０】
カート設備５の制御部５１にもこの収録イベントテーブルＲＴの変更を反映したデータがネットワーク９を介して通知されテープ６の収録タイミング等に変更が施される。また、緊急報道などの場合、当初予定していた番組が変更されるので収録する必要が無くなった番組を無駄に収録することも避けることが出来る。
【００５１】
この変更は、ここでは、表示されていないがＡＭＳ１によって予め収録イベントテーブルＲＴに再生出力するテープ上での記録位置の情報等が記入されているので、ＶＴＲ４Ｋをそれに従って動作させるようにすれば良い。また、オペレータが、ＶＴＲ４Ｋを操作しながら収録編集をするので、それに従って収録を行えば良い。  また、説明は省略するが、回線信号が臨時に放送、または収録される場合も上記と同様の収録イベントテーブルＲＴが修正、変更される。
【００５２】
以上説明した如く収録処理は当該番組の放送時刻の１日前の１４：３０迄に終了するように収録時刻表ＳＪや収録イベントテーブルＲＴに従って行われるので、放送時刻までに収録が終了していない放送事故を防ぐことが出来る。
【００５３】
なお、ここではカート設備５が管理するのは、記憶メディアは、テープが対象になっているが、それ以外の記憶媒体の出納を管理する自動倉庫のシステムであっても良く、光ディスク、ＤＶＤディスク等の記憶メディアを管理するものでも良い。この場合、ＶＴＲに代わり、ビデオサーバ２等との間で記憶メディアを脱着する様になるが、本発明は適用出来る。
【００５４】
また、本実施例では、ＡＭＳ１とカート設備５の制御部５１がそれぞれ独立した構成となっているが、放送局設備が小規模で有れば、ＡＭＳ１が制御部５１を兼ねるか、またはその反対に制御部５１がＡＭＳ１をかねるものであっても良い。この場合、システムが小型化し、データ管理が容易になるなどのメリットがある。
【図面の簡単な説明】
【００５５】
【図１】本発明の実施例に係わる収録管理システムの機能構成を説明するブロック図。
【図２】カート設備の内部構成を説明する機能ブロック図。
【図３】データサーバが供給する番組時刻表。
【図４】番組送出イベントテーブルの例。
【図５】収録時刻表の例。
【図６】収録イベントテーブルの例。
【符号の説明】
【００５６】
１  ＡＭＳ（Ａｓｓｅｔ  Ｍａｎａｇｅｍｅｎｔ  Ｓｅｒｖｅｒ）
２、２Ａ、２Ｂ…  ビデオサーバ２Ａ、２Ｂ
３１ａ、３１ｂ…  符号化装置
４、４Ａ、４Ｂ…ＶＴＲ
５  カート設備
６  （＃１〜＃Ｎ）テープ
７  補助記録再生装置
８  データサーバ
Ｓ  スイッチャ
Ｔ  局内時計
【図１】
2009171359.tif 000003
【図２】
2009171359.tif 000004
【図３】
2009171359.tif 000005
【図４】
2009171359.tif 000006
【図５】
2009171359.tif 000007
【図６】
2009171359.tif 000008